(57)【特許請求の範囲】
【請求項１】
円周付近に貫通孔を有し、該貫通孔の両側に２つの非貫通固定孔を有する、円形状装飾品を挟持して固定するための、該円形状装飾品と略同曲率の円弧部分を有する留め具であって、
該円形状装飾品を固定した際に、該円形状装飾品の非貫通固定孔を有する面の側に位置する第一部材と、該円形状装飾品の非貫通固定孔を有さない面の側に位置する第二部材から構成されるものであり、
該第一部材の第一挟持面には、第一円筒状突起と、２つの非貫通固定孔固定突起があり、
該第二部材の第二挟持面には、第二円筒状突起があり、
該第一円筒状突起と該第二円筒状突起が該貫通孔に挿入され、該非貫通固定孔固定突起がそれぞれ該非貫通固定孔に挿入されることで、該円形状装飾品が該第一部材と該第二部材の間にある状態において、該第一部材と該第二部材を螺合により連結することにより該円形状装飾品を挟持して固定することを特徴とする留め具。
【請求項２】
上記円形状装飾品において、上記貫通孔と上記２つの非貫通固定孔は、上記貫通孔を真ん中にして等距離に並んでいるものである請求項１に記載の留め具。
【請求項３】
上記第一部材と上記第二部材のうち、一方は嵌合凸部を有し、他方は該嵌合凸部と嵌合する嵌合凹部を有する請求項１又は請求項２に記載の留め具。
【請求項４】
上記第一部材が嵌合凸部を有し、上記第二部材が嵌合凹部を有する請求項３に記載の留め具。
【請求項５】
上記第一円筒状突起又は上記第二円筒状突起の内部は、雌ねじになっており、ナットを使用せずに上記第一部材と上記第二部材を螺合により連結する請求項１ないし請求項４の何れかの請求項に記載の留め具。
【請求項６】
上記第二円筒状突起の内部は雌ねじになっており、上記第二部材には貫通部が存在しない請求項５に記載の留め具。
【請求項７】
上記第一部材と上記第二部材を螺合により連結することにより上記円形状装飾品を挟持して固定した際に、上記第一円筒状突起の先端部と上記第二円筒状突起の先端部が突き当たるものである請求項１ないし請求項６の何れかの請求項に記載の留め具。
【請求項８】
上記第二部材は、吊り下げ手段を有する請求項１ないし請求項７の何れかの請求項に記載の留め具。
【請求項９】
上記円形状装飾品はガラス製である請求項１ないし請求項８の何れかの請求項に記載の留め具。
【請求項１０】
請求項１ないし請求項９の何れかの請求項に記載の留め具により固定されるものであることを特徴とする円形状装飾品。
【発明の詳細な説明】
【技術分野】
【０００１】
本発明は、円形状装飾品用の留め具に関し、更に詳しくは、固定箇所を３か所とすることにより、より強固に円形状装飾品を固定することのできる留め具に関する。
【背景技術】
【０００２】
記念メダルは、業績や事績の記念等の目的で、そのような業績・事績を成し遂げた者に贈られ、このような者を表彰により讃える際に、首に掛けられることが多い。
【０００３】
記念メダルは、一般に、円形状をしている。円形状のメダルを首に掛ける際には、メダルを何らかの方法で、環状部を有する固定具に固定した上で、固定具の環状部に、首掛けリボンを通すことにより、首に掛けられるようにする。保管する際にも、首掛けリボンを付けたまま保管されることが多い。
【０００４】
円形状のメダルと環状部を有する固定具の固定方法としては、金属製のメダルの場合、溶接による方法が一般的である。
【０００５】
溶接による固定方法は、ガラス等の金属製以外のメダルの場合、適用することができない。このため、ガラス等のメダルの場合、一般に、接着剤を使用して固定する方法が用いられる。
しかし、接着剤による固定方法は、接着に注意を払ったとしても、温度変化や、輸送時の振動に起因し、メダルと固定具が外れてしまうことがある。
【０００６】
また、溶接や接着剤によらない、金属製以外のメダルにも適用できる固定方法が種々提案されている。
【０００７】
例えば、特許文献１には、リング型のコイン状装飾体ホルダーが開示されている。特許文献１のコイン状装飾体ホルダーでは、リング部の一方側は全周にフランジ部が形成され、他方側には４つの爪状フランジ部が設けられ、コイン状装飾体をセットした後、爪状フランジ部を折り曲げてコイン状装飾体を保持する。
【０００８】
特許文献２には、メダルを固定するためのＣ字形クリップが開示されている。特許文献２のＣ字形クリップは、張力減少欠口が設けられており、クリップの弾性を利用して、メダルを保持する。
【０００９】
しかし、これらの先行技術は、メダル等の円周部の全部又は大部分が固定具で覆われるため、見栄えが悪く、また、取り付けや取り外しの作業の際に、比較的大きな力が加わるため、ガラスのような素材のメダルでは、破損の懸念が生じる。
【００１０】
ガラス製の円形状装飾品（メダル等）を固定するための従来方法として、図４に示すような留め具を使用した方法がある。
この方法では、ガラス製の円形状装飾品１７０は、図５に示すように、円周付近に貫通孔１７１が開けられている。留め具１１０の内曲面１１４は、円形状装飾品１７０と略同曲率の円弧曲面となっており、円形状装飾品１７０を留め具１１０に固定する際には、円形状装飾品１７０を留め具１１０の内平面１１１ａと内平面１１１ｂの間に挿入し、貫通孔１７１の位置を留め具１１０のボルト孔１１９ａ、１１９ｂの位置と合わせ、ボルトとナットを螺合する等により、円形状装飾品１７０を留め具１１０に固定する。
この方法では、円形状装飾品１７０の円周部１７５のうち、留め具により隠れるのは上部のみであり、取り付け・取り外し作業の際に無理な力を加える必要も無い。
【００１１】
しかしながら、図４の留め具を使用した方法では、円形状装飾品１７０を貫通孔１７１の部分のみで留め具１１０に支持しており、貫通孔１７１の内径はボルトの外径よりも若干余裕を持たせる必要がある。このため、図４の留め具を使用した方法では、円形状装飾品１７０がガタつき、不安定となってしまう。特に、円形状装飾品１７０の円周部１７５が、図５に示すような多面カット形状の場合、ガタつきが発生しやすい。
また、図４の留め具を使用した方法では、留め具１１０の外平面１１３ａ、１１３ｂのどちら側からも、ボルトの頭又はナットが見えてしまい、見栄えが良くない。
【００１２】
このため、留め具を使用してガラス製等の円形状装飾品を固定する従来方法は、安定性や見栄えの観点から、使用者の要求に応えるには不十分であり、改善の余地があった。
【先行技術文献】
【特許文献】
【００１３】
【特許文献１】特開平８−３３６４５４号公報
【特許文献２】実開昭６１−１１１３０７号公報
【発明の概要】
【発明が解決しようとする課題】
【００１４】
本発明は上記背景技術に鑑みてなされたものであり、その課題は、ガラス製等の円形状装飾品を安定した状態で、更に、見栄えもよく固定することのできる留め具を提供することにあり、また、そのような留め具により固定されるものである円形状装飾品を提供することにある。
【課題を解決するための手段】
【００１５】
本発明者は、上記の課題を解決すべく鋭意検討を重ねた結果、円形状装飾品に貫通孔だけでなく、２つの非貫通固定孔を設けることで、固定箇所を３か所とすることにより、また、留め具を特定形状の２つの部材に分け、２つの部材の間に円形状装飾品を挟持して固定することにより、固定された円形状装飾品の安定性や見栄えが改善されることを見出して、本発明を完成するに至った。
【００１６】
すなわち、本発明は、円周付近に貫通孔を有し、該貫通孔の両側に２つの非貫通固定孔を有する、円形状装飾品を挟持して固定するための、該円形状装飾品と略同曲率の円弧部分を有する留め具であって、
該円形状装飾品を固定した際に、該円形状装飾品の非貫通固定孔を有する面の側に位置する第一部材と、該円形状装飾品の非貫通固定孔を有さない面の側に位置する第二部材から構成されるものであり、
該第一部材の第一挟持面には、第一円筒状突起と、２つの非貫通固定孔固定突起があり、
該第二部材の第二挟持面には、第二円筒状突起があり、
該第一円筒状突起と該第二円筒状突起が該貫通孔に挿入され、該非貫通固定孔固定突起がそれぞれ該非貫通固定孔に挿入されることで、該円形状装飾品が該第一部材と該第二部材の間にある状態において、該第一部材と該第二部材を螺合により連結することにより該円形状装飾品を挟持して固定することを特徴とする留め具を提供するものである。
【００１７】
また、本発明は、上記の留め具により固定されるものであることを特徴とする円形状装飾品を提供するものである。
【発明の効果】
【００１８】
本発明によれば、ガラス製等の円形状装飾品を安定した状態で、更に、見栄えもよく固定することのできる留め具を提供することができる。
【００１９】
本発明の留め具は、２つの部材（第一部材と第二部材）に分けられており、第一部材と第二部材の間に円形状装飾品を挟んだ状態で、第一部材と第二部材を螺合により連結することで円形状装飾品を固定する。取り付け・取り外し作業は、誰でも簡便に行うことができる。
【００２０】
本発明の留め具では、図４に示す従来の留め具のように、貫通孔の部分のみで円形状装飾品を支持するのではなく、貫通孔の両側に設けられた２つの非貫通固定孔の部分においても円形状装飾品を支持する。すなわち、固定箇所が３か所であるので、強固に円形状装飾品を固定することができ、従来の留め具のように、ガタつくことがない。
特に、ガラス製の円形状装飾品において、円周部が、多面カット形状の場合、従来の留め具ではガタつきが発生しやすいが、本発明の留め具では、そのようなことがない。
【００２１】
また、円形状装飾品には、表裏の区別があるのが一般的である。本発明では、円形状装飾品の裏面に非貫通固定孔を設け、裏面側に位置する第一部材の側から連結ボルトを挿入するような構造とすることにより、円形状装飾品のおもて面の側からは、ボルト等が見えないので、円形状装飾品の見栄えを損なうことが無い。
【図面の簡単な説明】
【００２２】
【図１】本発明の留め具に用いられる部材を示す概略平面図である。                （ａ）第一部材    （ｂ）第二部材
【図２】本発明の留め具により固定される円形状装飾品を示す概略平面図である。    （ａ）裏面    （ｂ）おもて面
【図３】本発明の留め具による円形状装飾品の固定方法を示す概略斜視図である。    （ａ）円形状装飾品を固定する前の状態    （ｂ）円形状装飾品を固定した状態
【図４】従来の留め具を示す概略平面図である。
【図５】従来の留め具により固定される円形状装飾品を示す概略平面図である。      （ａ）裏面    （ｂ）おもて面
【発明を実施するための形態】
【００２３】
以下、本発明について説明するが、本発明は以下の実施の形態に限定されるものではなく、任意に変形して実施することができる。
【００２４】
本発明の留め具は、円周付近に貫通孔を有し、該貫通孔の両側に２つの非貫通固定孔を有する円形状装飾品を挟持して固定するための、該円形状装飾品と略同曲率の円弧部分を有する留め具である。
【００２５】
図３に示すように、本発明の留め具１０は、円形状装飾品７０を挟持して固定するために使用されるものであり、従来品に比べて、円形状装飾品７０がガタつきにくく、強固に固定することができ、また、固定された円形状装飾品７０の見栄えが良い。
【００２６】
＜円形状装飾品＞
本発明の留め具１０により固定されるものである円形状装飾品７０は、メダルやコイン状のものである。
円形状装飾品７０には、一般に、模様が施されている。本明細書においては、円形状装飾品７０の両平面のうち、飾ったり首に掛けたりした際に外部から見えるようにしたい方の平面を「おもて面７３」といい、もう一方の平面を「裏面７４」というが、施された模様の種類によっては、どちらの平面が見せたい面なのかはっきりとしない場合も多い。「おもて面７３」と「裏面７４」は、説明のために便宜的に定義したものであり、厳密な区別があるわけではない。
【００２７】
円形状装飾品７０は、図２に示すように、円周付近に、おもて面７３から裏面７４まで貫く貫通孔７１を有し、貫通孔７１の両側に、非貫通固定孔７２ａ、７２ｂを有する。留め具１０で固定される際に、貫通孔７１には、第一部材の第一円筒状突起３６及び第二部材の第二円筒状突起５６が挿入され、非貫通固定孔７２ａ、７２ｂには、第一部材の非貫通固定孔固定突起３８ａ、３８ｂがそれぞれ挿入される。
すなわち、本発明では、円形状装飾品７０は、３か所（１か所の貫通孔７１と２か所の非貫通固定孔７２ａ、７２ｂ）において、留め具に支持される。このため、円形状装飾品１７０が１か所（貫通孔１７１）のみにおいて留め具１１０に固定される従来品に比べて、強固に固定することができる。
【００２８】
本発明の留め具１０は、第一部材３０と第二部材５０で、円形状装飾品７０を挟んで固定するものであり、固定した状態において、円形状装飾品７０の貫通孔７１や非貫通固定孔７２ａ、７２ｂは、視認することはできない。
このため、非貫通固定孔７２ａ、７２ｂは、おもて面７３に存在していても、裏面７４に存在していてもよいが、円形状装飾品７０を留め具１０から外した状態で展示等するケースもあり得るので、非貫通固定孔７２ａ、７２ｂは裏面７４に存在する方が見栄えの点から好ましい。
【００２９】
円形状装飾品７０は、一般的に首に掛けることを想定したものであるので、その直径７０Ｄは、３ｃｍ以上１５ｃｍ以下が好ましく、５ｃｍ以上１２ｃｍ以下がより好ましく、７ｃｍ以上１０ｃｍ以下が特に好ましい。また、厚さ７０Ｈは、０．３ｃｍ以上２ｃｍ以下が好ましく、０．５ｃｍ以上１．５ｃｍ以下がより好ましく、０．７ｃｍ以上１ｃｍ以下が特に好ましい。
【００３０】
円形状装飾品７０の中心から、貫通孔７１の中心までの中心間距離（７０Ｌ）を、円形状装飾品７０の半径（７０Ｄ／２）で除した値（Ｐ）は、０．７５以上０．９５以下が好ましく、０．８以上０．９３以下がより好ましく、０．８５以上０．９以下が特に好ましい。
Ｐの下限が上記以上であると、円形状装飾品７０を留め具１０に固定した際に隠れて見えなくなる部分が少なく、美感が損なわれない。Ｐの上限が上記以下であると、寸法に十分な余裕ができ、貫通孔７１や非貫通固定孔７２ａ、７２ｂを無理なく設けることができる。
【００３１】
円形状装飾品７０において、貫通孔７１と２つの非貫通固定孔７２ａ、７２ｂは、上記貫通孔７１を真ん中にして等距離に並んでいるのが、固定した際の安定性の点や、留め具１０から外して展示等する際の見栄えの点から好ましい。
この場合、貫通孔７１と、非貫通固定孔７２ａ又は７２ｂの間の孔間距離（７０Ｍ）は、０．５ｃｍ以上１ｃｍ以下が好ましく、０．６ｃｍ以上０．８ｃｍ以下が特に好ましい。
７０Ｍの下限が上記以上であると、円形状装飾品７０を留め具１０に安定して固定することができ、また、寸法に十分な余裕ができ、貫通孔７１や非貫通固定孔７２ａ、７２ｂを無理なく設けることができる。７０Ｍの上限が上記以下であると、円形状装飾品７０を留め具１０に固定した際に隠れて見えなくなる部分が少なく、美感が損なわれない。
【００３２】
特に、貫通孔７１と２つの非貫通固定孔７２ａ、７２ｂは、図２に示すように、一直線上に並んでいることが、美感の点からも、安定性の点からも特に好ましい。
【００３３】
円形状装飾品７０の円周部７５は、多面カット等の加工が施されていてもよい。このような場合、従来の留め具では、安定して固定するのが困難だったが、３か所で固定する本発明の留め具では、安定して固定することができる。
【００３４】
円形状装飾品７０の材質について、特に限定はなく、ガラス、金属、プラスチック等が挙げられる。
円形状装飾品がガラス製である場合、溶接等の方法で留め具に固定することはできないので、ガラス製の円形状装飾品は、本発明を適用する意義が大きい。
【００３５】
ガラスの種類については、クリスタルガラス、ホウケイ酸ガラス、ソーダ石灰ガラス、石英ガラス等が挙げられる。
ガラス製の円形状装飾品は、外部や内部に、機械的彫刻、レーザー加工、薬品エッチング等により、文字や図形が描かれていることが好ましい。
【００３６】
＜留め具＞
本発明の留め具１０は、円形状装飾品７０を固定した際に、円形状装飾品７０の非貫通固定孔７２ａ、７２ｂを有する面の側に位置する第一部材３０と、円形状装飾品７０の非貫通固定孔７２ａ、７２ｂを有さない面の側に位置する第二部材５０から構成されるものである。
図１に、第一部材３０と第二部材５０の一例を示す。
使用の際には、図３に示すように、第一部材３０と第二部材５０の間に円形状装飾品７０を挟んだ状態で第一部材３０と第二部材５０とを螺合により連結することにより、円形状装飾品７０を固定する。
【００３７】
第一部材３０は、円形状装飾品７０を固定した際に、非貫通固定孔７２ａ、７２ｂを有する面（前記したように好ましくは裏面７４）の側に位置する。
第一挟持面３１が、「非貫通固定孔７２ａ、７２ｂを有する面」に接する面である。
【００３８】
第一挟持面３１には、第一円筒状突起３６と、２つの非貫通固定孔固定突起３８ａ、３８ｂがある。
第一円筒状突起３６は、円形状装飾品７０を固定した際に貫通孔７１に挿入される。
非貫通固定孔固定突起３８ａ、３８ｂは、円形状装飾品７０を固定した際に非貫通固定孔７２ａ、７２ｂに挿入される位置にある。
【００３９】
第一内曲面３４は、円弧状の曲面であり、その曲率は、円形状装飾品７０の円周部７５の曲率と略同一になっている。
【００４０】
第二部材５０は、円形状装飾品７０を固定した際に、非貫通固定孔７２ａ、７２ｂを有さない面（前記したように好ましくはおもて面７３）の側に位置する。
第二挟持面５１が、「非貫通固定孔７２ａ、７２ｂを有さない面」に接する面である。
【００４１】
第二挟持面５１には、第二円筒状突起５６がある。
第二円筒状突起５６は、円形状装飾品７０を固定した際に貫通孔７１に挿入される。
【００４２】
第二内曲面５４は、円弧状の曲面であり、その曲率は、円形状装飾品７０の円周部７５の曲率と略同一になっている。
【００４３】
図３（ｂ）に示すように、貫通孔７１に第一円筒状突起３６と第二円筒状突起５６が挿入されるようにして、第一部材３０と第二部材５０により、円形状装飾品７０を挟むようにすると、非貫通固定孔固定突起３８ａ、３８ｂは、非貫通固定孔７２ａ、７２ｂに挿入される。
また、第一内曲面３４、第二内曲面５４の曲率は、円形状装飾品７０の円周部７５の曲率と略同一であることから、円形状装飾品７０を挟むようにすると、円形状装飾品７０の上部は、第一内曲面３４及び第二内曲面５４にほぼ接触した状態となる。なお、本明細書において、「ほぼ接触した状態」とは、寸法に余裕を持たせたために、厳密には「接触」はしていないが近接した位置にある状態を含む。
【００４４】
円形状装飾品７０を間に挟んだ状態において、第一部材３０と第二部材５０を螺合により連結することにより、円形状装飾品７０は固定される。
すなわち、本発明の留め具１０は、第一円筒状突起３６と第二円筒状突起５６が貫通孔７１に挿入され、非貫通固定孔固定突起３８ａ、３８ｂがそれぞれ非貫通固定孔７２ａ、７２ｂに挿入されることで、円形状装飾品７０が第一部材３０と第二部材５０の間にある状態において、第一部材３０と第二部材５０を螺合により連結することにより、円形状装飾品７０を挟持して固定する。
【００４５】
螺合による連結方法に特に限定はない。
例えば、図１、図３に示す例では、第一部材３０の第一円筒状突起の円筒内部孔３６ｂは、第一外平面３３まで貫通しており、ねじが切られていない。
第二部材５０の第二円筒状突起の円筒内部孔５６ｂは、第二外平面５３まで貫通しておらず、雌ねじになっている。
第一外平面３３の側から連結ボルト９０を挿入し、円筒内部孔５６ｂに螺合することにより、円形状装飾品７０を挟んだ状態で第一部材３０と第二部材５０が連結され、円形状装飾品７０が留め具１０に固定される。
【００４６】
連結ボルト９０を挿入する方向は、図３とは逆方向でもよい（図示せず）。すなわち、第二部材５０の第二円筒状突起の円筒内部孔５６ｂが第二外平面５３まで貫通しており、第一部材３０の第一円筒状突起の円筒内部孔３６ｂが雌ねじになっていてもよい。
【００４７】
また、第一円筒状突起の円筒内部孔３６ｂと第二円筒状突起の円筒内部孔５６ｂの両方が第一外平面３３、第二外平面５３まで貫通しており、内部にねじが切られていない場合も、連結ボルトをナットとともに使用すれば、螺合により第一部材３０と第二部材５０を連結することができるので、そのようになっていてもよい（図示せず）。
【００４８】
第一円筒状突起３６又は第二円筒状突起５６の内部（円筒内部孔３６ｂ又は円筒内部孔５６ｂ）が、雌ねじになっている場合（すなわち、図３のようにして連結ボルト９０を挿入する場合、又は、図３とは逆方向から連結ボルト９０を挿入する場合）、ナットを使用せずに第一部材３０と第二部材５０を螺合により連結することができる。
部品が少なく作業が簡便になる等の理由から、このようになっているのが好ましい。
【００４９】
また、図３のように、第一部材３０の側から連結ボルト９０を挿入するようにすれば、おもて面７３には円筒内部孔５６ｂの出口が無い（第二部材５０において円筒内部孔５６ｂがおもて面７３に貫通していない）ようにできるので、おもて面７３から見たときに見栄えがよくなる。
すなわち、第二円筒状突起５６の内部（円筒内部孔５６ｂ）が雌ねじになっていて、第二部材５０には貫通部が存在しない（すなわち、図１、図３の態様）ことが特に好ましい。
通常、円形状装飾品７０を固定した際に、第二部材５０はおもて面７３の側（飾ったり首に掛けたりした際に外部から見える面の側）に位置する。上記のようになっていることにより、連結ボルト９０は第二部材５０の側からは見えなくなるので、見栄えがよくなる。
【００５０】
また、連結ボルト９０を挿入する孔（上記のように、好ましくは、第一外平面にある円筒内部孔３６ｂが貫通した孔）の周囲が、座ぐり部３９になっていると、第一部材３０と第二部材５０を連結した時に、連結ボルト９０の頭部が突き出ないので、そのようになっていることが好ましい。
【００５１】
第一部材の有効厚さ３０Ｈ（すなわち、第一挟持面３１と第一外平面３３との間の距離）と、第二部材の有効厚さ５０Ｈ（すなわち、第二挟持面５１と第二外平面５３との間の距離）の和は、円形状装飾品の厚さ７０Ｈとほぼ同一であることが好ましい（但し、破損防止等の観点から、若干寸法に余裕を持たせた方がよい）。すなわち、円形状装飾品７０は、第一部材３０と第二部材５０により、ぴったりと挟まれた状態となっているのが好ましい。
３０Ｈと５０Ｈの和が、７０Ｈとほぼ同一の場合、第一部材の第一円弧状平面３２と第二部材の第二円弧状平面５２は、ほぼ接触した状態となる。
【００５２】
第一部材の有効厚さ３０Ｈと、第二部材の有効厚さ５０Ｈは、ほぼ同一であることが、見栄えや安定性等の点から好ましい。
【００５３】
また、第一部材３０と第二部材５０を螺合により連結することにより円形状装飾品７０を挟持して固定した際に、第一円筒状突起の先端部３６ａと第二円筒状突起の先端部５６ａが突き当たるようになっていることが好ましい。
とりわけ、３０Ｈと５０Ｈの和が、７０Ｈとほぼ同一であり、かつ、第一円筒状突起の先端部３６ａの面が第一円弧状平面３２と同一平面上に、第二円筒状突起の先端部５６ａの面が第二円弧状平面５２と同一平面上に位置する状態で、第一円筒状突起の先端部３６ａと第二円筒状突起の先端部５６ａが突き当たるのが特に好ましい。
このようになっていることで、固定された円形状装飾品７０がガタつきにくく安定に保持されやすくなる。
【００５４】
第一部材３０と第二部材５０のうち、一方が嵌合凸部を有し、他方が該嵌合凸部と嵌合する嵌合凹部を有すると、第一部材３０と第二部材５０との間に円形状装飾品７０を固定する際に、該嵌合凸部と該嵌合凹部を嵌合することができる。このため、螺合による連結をスムーズに行うことができ、また、固定された円形状装飾品７０がガタつきにくくなる。
【００５５】
嵌合凸部や嵌合凹部は、第一部材３０の第一円弧状平面３２や第二部材５０の第二円弧状平面５２に設けるのが好ましい。
【００５６】
特に、図１、図３に示す態様のように、第一部材３０が嵌合凸部３７ａ、３７ｂを有し、第二部材５０が嵌合凹部５７ａ、５７ｂを有するのが好ましい。
第一部材３０は、非貫通固定孔固定突起３８ａ、３８ｂを有している。凸部分の方向は、全て同じ方向に揃っていた方が、円形状装飾品７０や留め具１０に無理な力が加わりにくい。
【００５７】
本発明の留め具１０は、円形状装飾品の貫通孔７１の部分を、第一円筒状突起３６及び第二円筒状突起５６により支持し、非貫通固定孔７２ａ、７２ｂの部分を、非貫通固定孔固定突起３８ａ、３８ｂにより支持する。
図１に示すように、非貫通固定孔固定突起３８ａ、３８ｂが第一外平面３３に螺入した雄ねじになっている場合、第一挟持面３１から非貫通固定孔固定突起３８ａ、３８ｂの先端までの長さを微調整することができる。このため、該長さを短くして余裕を持たせた状態で円形状装飾品７０を軽く挟持した後で、雄ねじ３８ａ、３８ｂを軽くねじ込むことで、強固に固定することができ、安定性が向上する。
また、雄ねじ３８ａ、３８ｂを取り外した状態で、円形状装飾品７０を第一部材３０と第二部材５０とで挟持して連結ボルト９０で軽く固定した後に、雄ねじ３８ａ、３８ｂを差し込んでねじ込み固定することで、容易に円形状装飾品７０を固定できる。
【００５８】
本発明の留め具１０は、首掛けリボンを通すために使用される吊り下げ手段を有するのが好ましい。吊り下げ手段は、第一部材３０の側にあっても第二部材５０の側にあってもよいが、表側に位置する第二部材５０が吊り下げ手段５８を有するのが、見栄えの点から好ましい。
【００５９】
本発明の留め具１０の平面部分の厚さ（第一挟持面３１と第一外平面３３の間の距離、第二挟持面５１と第二外平面５３の間の距離）は、０．５ｍｍ以上３ｍｍ以下が好ましく、１ｍｍ以上２．５ｍｍ以下がより好ましく、１．５ｍｍ以上２ｍｍ以下が特に好ましい。
上記範囲内であることにより、留め具１０の強度が十分な強度を有し、また、軽く扱いやすくなる。
【００６０】
本発明の留め具１０の曲面部分の厚さ（第一内曲面３４と第一外曲面３５の間の距離、第二内曲面５４と第二外曲面５５の間の距離）は、０．５ｍｍ以上３ｍｍ以下が好ましく、１ｍｍ以上２．５ｍｍ以下がより好ましく、１．５ｍｍ以上２ｍｍ以下が特に好ましい。
上記範囲内であることにより、留め具１０の強度が十分な強度を有し、また、軽く扱いやすくなる。
【００６１】
第二外平面５３や第一外平面３３には、模様を描いたり、宝飾品を埋め込んだりすることができる。このようにすることによって、円形状装飾品７０を留め具１０で固定した際の装飾効果を高めることができる。
【産業上の利用可能性】
【００６２】
本発明の留め具は、円形状装飾品を安定して固定することができ、円形状装飾品が固定された状態における見栄えに優れているため、ガラス、金属、プラスチック等の円形状装飾品を固定するための留め具として利用されるものであり、特に、従来技術では、安定した固定が困難だったガラス製の円形状装飾品を固定するための留め具として優れているため、徽章、勲章、表彰メダル、装飾品等を製造する分野；競技会、運動会、表彰、賞授与等の開催事業分野；等に広く利用されるものである。
【符号の説明】
【００６３】
１０    留め具
３０    第一部材
３０Ｈ  有効厚さ
３１    第一挟持面
３２    第一円弧状平面
３３    第一外平面
３４    第一内曲面
３５    第一外曲面
３６    第一円筒状突起
３６ａ  先端部
３６ｂ  円筒内部孔
３７ａ  嵌合凸部
３７ｂ  嵌合凸部
３８ａ  非貫通固定孔固定突起
３８ｂ  非貫通固定孔固定突起
３９    座ぐり部
５０    第二部材
５０Ｈ  有効厚さ
５１    第二挟持面
５２    第二円弧状平面
５３    第二外平面
５４    第二内曲面
５５    第二外曲面
５６    第二円筒状突起
５６ａ  先端部
５６ｂ  円筒内部孔
５７ａ  嵌合凹部
５７ｂ  嵌合凹部
５８    吊り下げ手段
７０    円形状装飾品
７０Ｄ  直径
７０Ｈ  厚さ
７０Ｌ  中心間距離
７０Ｍ  孔間距離
７１    貫通孔
７２ａ  非貫通固定孔
７２ｂ  非貫通固定孔
７３    おもて面
７４    裏面
７５    円周部
９０    連結ボルト
１１０    留め具
１１１ａ  内平面
１１１ｂ  内平面
１１３ａ  外平面
１１３ｂ  外平面
１１４    内曲面
１１５    外曲面
１１８    吊り下げ手段
１１９ａ  ボルト孔
１１９ｂ  ボルト孔
１７０    円形状装飾品
１７１    貫通孔
１７３    おもて面
１７４    裏面
１７５    円周部
【図１】
0006388855.tif 000002
【図２】
0006388855.tif 000003
【図３】
0006388855.tif 000004
【図４】
0006388855.tif 000005
【図５】
0006388855.tif 000006